(57)【要約】【課題】加熱調理時に自立した状態を保持しやすく、しかも製造適性に優れた電子レンジ用包装袋を提供する。【解決手段】第三縁部１３の一部に開口部１３ａを有し、ガセット部Ｇと、蒸気抜き手段Ｖと、第一縁部１１から開口部１３ａに向かって形成される第三縁部シール部１３Ｓの第一部分１３Ｓ1 と、第二縁部１２から開口部１３ａに向かって形成される第三縁部シール部１３Ｓの第二部分１３Ｓ2 と、第三縁部シール部１３Ｓの第１縁部１１とガセット部Ｇの折り返し部ｇの間に第一突出シール部１３Ｔとが設けられた包装袋を準備する。開口部１３ａから内容物を充填した後、第三縁部シール部１３Ｓの第三部分１３Ｓ3 を形成して密封する。第一縁部１１側に蒸気抜き手段Ｖが設けられているため、電子レンジを用いて加熱調理したときに、第三縁部１３側または第四縁部１４側に蒸気抜き手段を設けた場合に比べて自立した状態を保持しやすい。【選択図】図１
2017013864.tif 000002
【特許請求の範囲】
【請求項１】
少なくとも第一縁部と、第一縁部と対向する第二縁部と、第一縁部と第二縁部の間で延びる第三縁部とを備え、第一縁部側に蒸気抜き手段が設けられ、第二縁部側にガセット部が設けられ、第三縁部に沿って第三縁部シール部が設けられ、第一縁部とガセット部の折り返し部の間で、第三縁部シール部の内側シールラインに連設し、第三縁部シール部の第一縁部からガセット部に向かって延びる部分よりも収容部側に突き出た第一突出シール部が設けられていることを特徴とする電子レンジ用包装袋。
【請求項２】
少なくとも第一縁部と、第一縁部と対向する第二縁部と、第一縁部と第二縁部の間で延びる第三縁部とを備え、第一縁部側に蒸気抜き手段が設けられ、第二縁部側にガセット部が設けられ、第三縁部に沿って第三縁部シール部が設けられ、第一縁部とガセット部の折り返し部の間で、第三縁部シール部の内側シールラインに連設し、第三縁部シール部の第一縁部からガセット部に向かって延びる部分よりも収容部側に突き出た第一突出シール部が設けられた電子レンジ用包装袋の製造方法であって、次の工程からなることを特徴とする電子レンジ用包装袋の製造方法。
（１）第三縁部の一部に開口部を有し、ガセット部と、蒸気抜き手段と、第一縁部から開口部に向かって形成される第三縁部シール部の第一部分と、第二縁部から開口部に向かって形成される第三縁部シール部の第二部分と、第三縁部シール部の第一縁部とガセット部の折り返し部の間に第一突出シール部とが設けられた包装袋を準備する第一工程。
（２）開口部から内容物を充填した後、第三縁部シール部の第三部分を形成して包装袋を密封する第二工程。
【発明の詳細な説明】
【技術分野】
【０００１】
本発明は、食品を入れるための包装袋の技術分野に属し、詳しくは、食品を収納した状態で電子レンジによる加熱調理が可能な電子レンジ用包装袋に関するものである。
【背景技術】
【０００２】
従来より、カレーや中華料理などの各種レトルト食品を封入した電子レンジ用包装袋が市販されている。そして、電子レンジで加熱調理する場合、内容物に含まれる水分が沸騰して内圧が高まって袋が破裂するのを防ぐために、蒸気抜きの工夫を施した包装袋が種々提案されており、多くのものが実際に実用化されている。それらの中でも、自立性の包装袋であって、胴部シール部、または天部シール部と連結してコの字状シール部を設け、当該コの字状シール部に囲まれた未シール部に切込等を形成することで蒸気抜き手段としたものが知られている（例えば特許文献１参照）。
【先行技術文献】
【特許文献】
【０００３】
【特許文献１】特開２００５−５９８７２号公報
【発明の概要】
【発明が解決しようとする課題】
【０００４】
上記した電子レンジ用包装袋のうち、胴部シール部と連結して蒸気抜き手段を設けたものは、自立させた状態で電子レンジを用いて加熱調理すると、胴部シール部に蒸気圧が掛かるため、自立した状態を保持しにくいといった問題がある。一方、天部シール部に連結して蒸気抜き手段を設けたものは、天部から内容物を充填した後、蒸気抜き手段を形成することは困難であり、側部から内容物を充填する場合は、包装袋を摘まみにくいため、充填しにくいとった問題がある。
【０００５】
本発明は、このような問題点に鑑みてなされたものであり、その目的とするところは、加熱調理時に自立した状態を保持しやすく、しかも製造適性に優れた電子レンジ用包装袋を提供し、併せてその製造方法を提供することにある。
【課題を解決するための手段】
【０００６】
本発明に係る電子レンジ用包装袋は、少なくとも第一縁部と、第一縁部と対向する第二縁部と、第一縁部と第二縁部の間で延びる第三縁部とを備え、第一縁部側に蒸気抜き手段が設けられ、第二縁部側にガセット部が設けられ、第三縁部に沿って第三縁部シール部が設けられ、第一縁部とガセット部の折り返し部の間で、第三縁部シール部の内側シールラインに連設し、第三縁部シール部の第一縁部からガセット部に向かって延びる部分よりも収容部側に突き出た第一突出シール部が設けられていることを特徴とする。
【０００７】
また、本発明に掛かる電子レンジ用包装袋の製造方法は、少なくとも第一縁部と、第一縁部と対向する第二縁部と、第一縁部と第二縁部の間で延びる第三縁部とを備え、第一縁部側に蒸気抜き手段が設けられ、第二縁部側にガセット部が設けられ、第三縁部に沿って第三縁部シール部が設けられ、第一縁部とガセット部の折り返し部の間で、第三縁部シール部の内側シールラインに連設し、第三縁部シール部の第一縁部からガセット部に向かって延びる部分よりも収容部側に突き出た第一突出シール部が設けられた電子レンジ用包装袋の製造方法であって、次の工程からなることを特徴とする。
（１）第三縁部の一部に開口部を有し、ガセット部と、蒸気抜き手段と、第一縁部から開口部に向かって形成される第三縁部シール部の第一部分と、第二縁部から開口部に向かって形成される第三縁部シール部の第二部分と、第三縁部シール部の第一縁部とガセット部の折り返し部の間に第一突出シール部とが設けられた包装袋を準備する第一工程。
（２）開口部から内容物を充填した後、第三縁部シール部の第三部分を形成して包装袋を密封する第二工程。
【発明の効果】
【０００８】
本発明によれば、第一縁部側に蒸気抜き手段が設けられているため、第二縁部側に設けられたガセット部を下面にして電子レンジを用いて加熱調理したときに、第三縁部側または第四縁部側に蒸気抜き手段を設けた場合に比べて自立した状態を保持しやすくすることができる。また、第一突出シール部を設けることにより、第三縁部側から包装袋に内容物を充填した後、第三縁部シール部の第三部分を形成するときに、シールバーの位置精度に余裕を持たせることができる。このため、製造適性に優れる。
【図面の簡単な説明】
【０００９】
【図１】密封される前の状態の電子レンジ用包装袋を示す正面図である。
【図２】図１のＡ−Ａ断面に対応した説明図である。
【図３】密封した状態の電子レンジ用包装袋を示す正面図である。
【図４】開封開始手段を設けた電子レンジ用包装袋を示す正面図である。
【図５】変形例の電子レンジ用包装袋を示す正面図である。
【発明を実施するための形態】
【００１０】
次に、本発明の実施形態について図面を参照しながら詳細に説明する。
【００１１】
図１は本発明の電子レンジ用包装袋を製造する途中の中間製品の一例を示す正面図、図２は図１のＡ−Ａ断面に対応した説明図であり、図３は図１の中間製品に内容物を充填して密封した状態の包装袋を示す正面図である。
【００１２】
図１に示す電子レンジ用包装袋Ｐの中間製品は、第一縁部１１と、第一縁部１１と対向する第二縁部１２と、第一縁部１１と第二縁部１２の間で延びる第三縁部１３と、第三縁部１３と対向する第四縁部１４とを備えており、第一縁部１１には第一縁部シール部１１Ｓが形成され、第二縁部１２には第二縁部シール部１２Ｓが形成され、第三縁部１３には第三縁部シール部１３Ｓが形成され、第四縁部１４には第四縁部シール部１４Ｓが形成されており、第一縁部１１側に蒸気抜き手段Ｖが設けられ、第二縁部１２側にガセット部Ｇが設けられている。
【００１３】
図１の中間製品は、収容部１０に内容物を充填して密封される前の状態の包装袋Ｐであり、第三縁部シール部１３Ｓは、第一縁部１１から第二縁部１２に向かって延びる第一部分１３Ｓ1 と、第二縁部１２から第一縁部１１に向かって延びる第二部分１３Ｓ2 とで構成され、第一部分１３Ｓ1 と第二部分１３Ｓ2 との間に未シール部である開口部１３ａが設けられている。
【００１４】
さらに、この中間製品では、第三縁部シール部１３Ｓの第一部分１３Ｓ1 に、開口部１３ａに隣接して第一突出シール部１３Ｔが設けられ、第三縁部シール部１３Ｓの第二部分１３Ｓ2 に、開口部１３ａに隣接して第一突出シール部１３Ｔが設けられている。
【００１５】
第三縁部シール部１３Ｓの第一部分１３Ｓ1 の内側シールラインに連設される第一突出シール部１３Ｔは、第三縁部シール部１３Ｓの第一部分１３Ｓ1 よりも収容部側に突き出し、第一縁部１１よりも第二縁部１２側、例えば、蒸気抜き手段Ｖよりも第二縁部１２側に設けられる。また、第三縁部シール部１３Ｓの第二部分１３Ｓ2 の内側シールラインに連設される第一突出シール部１３Ｔは、第三縁部シール部１３Ｓの第二部分１３Ｓ2 よりも収容部側に突き出し、ガセット部Ｇの折り返し部ｇよりも第一縁部１１側に設けられる。これらの第一突出シール部１３Ｔは、ガセット部Ｇの折り返し部ｇと略平行に延びるように設けてもよい。
【００１６】
これらの第一突出シール部１３Ｔは、角部を有さないこと、つまり、角部が面取り加工されていることが好ましい。このことにより、角部に起因して破袋することを防止することができる。例えば、図１に示すように、第一突出シール部１３Ｔは、長方形において収容部側に位置する角部を丸くした形状にすることができる。この場合、例えば、角部の半径は２ｍｍにすることができる。あるいは、図示はしないが、第一突出シール部１３Ｔの第四縁部１４と対向する部分を円弧状にしてもよい。
【００１７】
蒸気抜き手段Ｖは、包装袋Ｐの上部中央部に設けることが好ましい。蒸気抜き手段Ｖとして、図１に示す例では、第一縁部シール部１１Ｓの内側シールラインに連設され、第一縁部シール部１１Ｓよりも収納部１０側に突出した第二突出シール部１１Ｔを設け、第二突出シール部１１Ｔの中に未シール部１５を設け、未シール部１５の中に分断部１６を設けている。未シール部１５は、第二突出シール部１１Ｔから第一縁部シール部１１Ｓに亘るように設けてもよい。分断部１６は、図２に示す如く表面フィルム１と裏面フィルム２を貫通するように設けられる。分断部１６としては、例えば、切込や孔が挙げられる。分断部１６を設けることにより、電子レンジを用いて加熱調理した場合に、分断部１６を介して蒸気抜けさせることができる。
【００１８】
なお、蒸気抜け手段Ｖの第二突出シール部１１Ｔは、角部を有することが好ましい。このことにより、電子レンジを用いて加熱調理したしたときに、角部の頂点からシール後退しやすくすることができるため、蒸気抜け機能をより発現しやすくすることができる。角部は、包装袋Ｐの中心と対向するように設けられることが好ましく、例えば、図１に示すように、第二突出シール部１１Ｔは、三角形にすることができる。
【００１９】
図１の中間製品は、充填装置に一枚ずつ供給され、第三縁部１３の開口部１３ａから内容物が充填された後、第三縁部シール部１３Ｓの第三部分１３Ｓ3 が形成されて、図３に示すごとく内容物が入った自立性のある電子レンジ用包装袋Ｐになる。具体的には、第三縁部１３を上にした状態で一枚ずつ供給され、充填装置のチャックにより第三縁部１３の第一縁部１１側と第三縁部１３の第二縁部１２側とが把持されて開口部１３ａが広げられ、その広がった開口部１３ａから内容物が充填され、充填後に開口部１３ａを閉じるようにヒートシールされることで、第三縁部１３に第三縁部シール部１３Ｓの第三部分１３Ｓ3 が形成される。例えば、第三縁部シール部１３Ｓの第三部分１３Ｓ3 の内側シールラインと第一突出シール部１３Ｔの最も第四縁部１４側の箇所との間の距離Ｗは３ｍｍ以上とすることができる。
【００２０】
このとき、第三縁部シール部１３Ｓの第一部分１３Ｓ1 には第一突出シール部１３Ｔがあり、第三縁部シール部１３Ｓの第二部分１３Ｓ2 にも第一突出シール部１３Ｔがあるので、シールバーの位置精度に余裕を持たせることができる。すなわち、開口部１３ａのシール装置に対する位置に多少のずれがあっても、シールバーの両端がそれぞれ突出シール部１３Ｔの範囲内に納まった状態でヒートシールされることになる。したがって、シールバーの角部によって生じるシール部分が切っ掛けとなって破袋するようなことがない。
【００２１】
本発明の電子レンジ用包装袋は、第一縁部１１から第二縁部１２に亘る第三縁部１３を直線としてもよい。例えば、図１に示すごとく、電子レンジ用包装袋Ｐは、第一縁部１１、第二縁部１２、第三縁部１３、第四縁部１４が全て直線である正方形または長方形とすることができる。
【００２２】
本発明の電子レンジ用包装袋は、可撓性のフィルムで構成することができる。フィルムは、例えば、少なくとも、基材層とシーラント層が積層された積層フィルムとすることができる。さらに、基材層とシーラント層の間に中間層を設けてもよい。
【００２３】
基材層としては、ポリエチレンテレフタレート（ＰＥＴ）などのポリエステル系樹脂、ナイロン（Ｎｙ）などのポリアミド系樹脂、ポリプロピレン（ＰＰ）などを用いることができる。また、基材層は延伸していることが好ましく、二軸延伸されていることがより好ましい。
【００２４】
シーラント層としては、低密度ポリエチレン（ＬＤＰＥ）や線状低密度ポリエチレン（ＬＬＤＰＥ）などのポリエチレン系樹脂、ポリプロピレン（ＰＰ）などを用いることができる。
【００２５】
中間層としては、水蒸気や酸素などのガスバリア性、遮光性、各種の機械的強度など、必要とされる性能に応じて、適切なものが選択され得る。例えば、ガスバリア性を付与するために、中間層として、酸化珪素などの無機酸化物、酸化アルミニウムなどの金属酸化物の蒸着層や、エチレン−ビニルアルコール共重合体（ＥＶＯＨ）、ポリ塩化ビニリデン樹脂（ＰＶＤＣ）や、ナイロンＭＸＤ６などの芳香族ポリアミドなどを設けてもよい。また、機械的強度を高めるために、中間層として、ナイロンやポリエチレンテレフタレート（ＰＥＴ）などを設けてもよい。
【００２６】
本実施例の電子レンジ用包装袋Ｐは、図２に示すように、表面フィルム１と、裏面フィルム２と、折れ線を介して二つ折りされた中間フィルム３とで構成されている。これらのフィルムには、外面から、基材層Ｆａとシーラント層Ｆｂが積層されたフィルムが用いられており、表裏の壁面フィルム１，２の間に二つ折り状態の中間フィルム３を挟み込み、直線状の第一縁部シール部１１Ｓと舟底形の第二縁部シール部１２Ｓをヒートシールして形成するとともに、左右端縁に沿った第三縁部シール部１３Ｓと第四縁部シール部１４Ｓでヒートシールすることで、図１に示す中間製品が製袋されている。
【００２７】
このように、電子レンジ用包装袋Ｐは、例えば、表面フィルム１、裏面フィルム２、中間フィルム３の三部材で構成することができる。この場合、中間フィルム３は、折り返し部ｇを内側にして、表面フィルム１と裏面フィルム２の間に位置される。また、電子レンジ用包装袋Ｐは表面フィルム１と中間フィルム３と裏面フィルム２が連設された一部材や、表面フィルム１または裏面フィルム２のどらちかが中間フィルム３と連設された二部材で構成されていてもよい。電子レンジ用包装袋Ｐを一部材または二部材で構成する場合、第二縁部シール部１２Ｓは設けなくてもよい。
【００２８】
本発明の電子レンジ用包装袋は、第三縁部シール部１３Ｓまたは第四縁部シール部１４Ｓに開封開始手段Ｃを設けてもよい。開封開始手段Ｃとしては、切欠、切込、傷痕群などとすることができる。なお、傷痕群とは、フィルムを貫通するように設けられた複数の貫通孔、または、フィルムを貫通しないように設けられた複数の孔を指す。フィルムを貫通しない場合、穴は、例えば、基材層のみ貫通し、シーラント層を貫通しないようにすることができる。なお、図４には、開封開始手段Ｃとして、第三縁部１３から第一突出シール部１３Ｔに亘って、切欠を設けた例が示されている。このように、第三縁部１３から第一突出シール部１３Ｔに亘って開封開始手段Ｃを設けた場合、使用者に開封開始手段Ｃを認識しやすくすることができる。
【００２９】
本発明の電子レンジ用包装袋は、易開封手段を設けてもよい。例えば、易開封手段は、第三縁部１３から第四縁部１４に向かって形成することができる。また、易開封手段は、開封開始手段と連設するように設けることが好ましく、例えば、開封開始手段と連設し、第四縁部１４に亘って設けるようにしてもよい。例えば、易開封手段として、レーザー加工やカッターなどで形成されたハーフカット線を用いることができる。ハーフカット線は、例えば、基材層のみ貫通し、シーラント層を貫通しないように設けることができる。
【００３０】
（変形例）
図５に本発明の電子レンジ用包装袋の変形例を示す。この電子レンジ用包装袋Ｐは、図１の包装袋Ｐにおいて蒸気抜き手段Ｖを変更したもので、第一縁部１１から収容部１０に向かって未シール部１５を設けたものである。なお、未シール部１５は、第一縁部シール部１１Ｓの内側シールラインよりも収容部１０側に突出するように設けることが好ましい。また、第一縁部１１を含むように未シール部１５を設ける場合、分断部１６を設けなくてもよい。
【００３１】
本発明の包装袋は、上記した実施の形態に限定されるものではなく、本発明の趣旨を逸脱しない範囲において種々の変更が可能であることは言うまでもない。
【産業上の利用可能性】
【００３２】
本発明の包装袋は、レトルト食品などの加熱調理する食品を収納して販売する際に用いるのが好適であるが、その他の加熱する商品であれば何れを収納する場合にも利用することができる。
【符号の説明】
【００３３】
１  表面フィルム
２  裏面フィルム
３  中間フィルム
１０  収容部
１１  第一縁部
１１Ｓ  第一縁部シール部
１１Ｔ  第二突出シール部
１２  第二縁部
１２Ｓ  第二縁部シール部
１３  第三縁部
１３ａ  開口部
１３Ｓ  第三縁部シール部
１３Ｓ1   第一部分
１３Ｓ2   第二部分
１３Ｓ3   第三部分
１３Ｔ  第一突出シール部
１４  第四縁部
１４Ｓ  第四縁部シール部
１５  未シール部
１６  分断部
Ｐ  電子レンジ用包装袋
Ｇ  ガセット部
ｇ  折り返し部
Ｆａ  基材層
Ｆｂ  シーラント層
Ｖ  蒸気抜き手段
Ｃ  開封開始手段
【図１】
2017013864.tif 000003
【図２】
2017013864.tif 000004
【図３】
2017013864.tif 000005
【図４】
2017013864.tif 000006
【図５】
2017013864.tif 000007